(57)【要約】【課題】簡素で合理的な構成を有する新規な低背形の電磁継電器を提供する。【解決手段】電磁継電器１は、コイルなどの種々の部品が取り付けられた保持ブロック１０と、それに取り付けられたカバー２０とによって、外形が直方体形状に構成された本体部を有している。本体部からは、板状の構造の端子５，６，７，８が突出しており、これらは、本体部の、最も薄い方向に平行に延びる第１の面Ａから突出し、端子５，６，７，８の板厚の方向に垂直な面内で本体部の、最も薄い方向に平行となるように折れ曲がって、本体部の、最も薄い方向に交差する第２の面Ｂを越えて延びている。本体部の第２の面Ｂを越えて延びている、端子５，６，７，８の先端が基板３０に実装されることによって、電磁継電器１は、本体部の、最も薄い方向が基板３０の表面に垂直になるように固定されている。【選択図】図１
2010113842.tif 000002
【特許請求の範囲】
【請求項１】
本体部と、
前記本体部から突出して形成された、板状の構造の端子と、
を有し、
前記端子は、前記本体部の、最も薄い方向に平行に延びている第１の面から突出し、当該端子の板厚の方向に垂直な面内で前記本体部の最も薄い方向に平行となるように折れ曲がって、前記本体部の、最も薄い方向に交差する第２の面を越えて延びており、
前記本体部の最も薄い方向が前記基板の表面に垂直になるように、前記第２の面を越えて延びている前記端子の先端が基板に実装されている、
電磁継電器。
【発明の詳細な説明】
【技術分野】
【０００１】
本発明は電磁継電器に関し、特に、基板面に垂直な方向の寸法が小さい低背形の電磁継電器に関する。
【背景技術】
【０００２】
図２は、従来の一例の電磁継電器を示す図であり、図２（ａ）は正面図、図２（ｂ）は、図２（ａ）の右方向から見た側面図である。この従来例の電磁継電器は、モールド部材からなるのが普通である保持ブロック５０に種々の部品が保持されて構成されている。電磁継電器は、保持ブロック５０に、周囲を覆うカバーが取り付けられた構成とされるのが一般的であり、図２は、カバーを外した状態を示している。
【０００３】
図２の電磁継電器は、保持ブロック５０のコイル部５１内に保持された不図示のコイルを有し、このコイルに端子５２，５３が接続されている。電磁継電器には、さらに、可動接点５７と固定接点５９が設けられている。可動接点５７は、コイルの発生する磁力によって、伝動機構５５を介して機械的に変位させられる。固定接点５９は、可動接点５７がコイルにより変位させられることによって、可動接点５７に対して接触状態と非接触状態とに切り替えられる。可動接点５７と固定接点５９には、外部接続用の端子６１，６２が接続されている。
【０００４】
一般に、十分な磁力を発生するためにコイルには一定の長さが必要であることや、確実に電気的に切断するため、可動接点５７と固定接点５６との間には、切断時に一定の距離が必要であることなどから、電磁継電器はかさばりやすい。特に、図２に示す例では、電磁継電器は、ほぼ直方体状形状の構造を有しており、図２（ａ）での、上下方向および左右方向にかなり長くなっている。
【０００５】
外部接続用の端子５２，５３，６１，６２は、比較的面積の小さい、図２での底面から真っ直ぐに突出している。このような構成とすることによって、図２の電磁継電器は、比較的面積の小さい底面が基板上に面するように取り付けることができ、それによって、基板上での、実装に必要な面積が小さく抑えられている。
【０００６】
一方、電磁継電器が実装される装置の構成によっては、電磁継電器の、基板に垂直な方向の高さを低くすること、すなわち電磁継電器を低背形とすることが求められることがある。この場合には、従来、図３に示すように、外部接続用の端子５２，５３，６１，６２を、電磁継電器の薄い方向に直交する一側面側に直角に曲げ加工し、この一側面を基板に面するように実装する構成とする方法が用いられている。
【０００７】
また、特許文献１には、電磁継電器を低背形にするために、一側面から延びている外部接続用の端子を、該側面の縁側に向かうように直角に折れ曲がった構造にすることが記載されている。この電磁継電器は、端子が形成さている側面を上面とし、端子の、折れ曲がった先端をコネクタで支えるようにして、取り付けられている。
【０００８】
【特許文献１】特開２００２-１８４２８６号公報
【発明の開示】
【発明が解決しようとする課題】
【０００９】
本発明の目的は、簡素で合理的な構成を有する新規な低背形の電磁継電器を提供することにある。
【課題を解決するための手段】
【００１０】
上述の目的を達成するため、本発明の電磁継電器は、本体部と、本体部から突出して形成された、板状の構造の端子と、を有し、端子は、本体部の、最も薄い方向に平行に延びている第１の面から突出し、端子の板厚の方向に垂直な面内で本体部の最も薄い方向に平行となるように折れ曲がって、本体部の、最も薄い方向に交差する第２の面を越えて延びており、本体部の最も薄い方向が基板の表面に垂直になるように、第２の面を越えて延びている端子の先端が基板に実装されていることを特徴とする。
【００１１】
この構成によれば、電磁継電器は、その本体部の最も薄い方向が基板の表面に垂直な方向となるように実装されることによって、低背形の構成となる。
【発明の効果】
【００１２】
本発明によれば、簡素で合理的な構成を有する低背形の電磁継電器を提供することができる。
【発明を実施するための最良の形態】
【００１３】
以下、図面を参照して本発明の実施の形態について説明する。図１は、本実施形態の電磁継電器１を模式的に示す図であり、図１（ａ）は斜視図、図１（ｂ）は平面図、図１（ｃ）は、図１（ｂ）の右側から見た側面図である。なお、図１（ｂ）、（ｃ）では、内部構造を示すため、カバー２０を外した状態を示している。また、図１（ｂ）では、分かりやすくするために、コイル用の端子５，６などの一部構成の図示を省略している。図１（ｃ）には、基板３０上への電磁継電器１の実装構成の例も示している。
【００１４】
図１に示すように、本実施形態の電磁継電器１は、種々の部品が、嵌合などによって取り付けられた保持ブロック１０を有している。すなわち、特に図２（ｂ）に示すように、保持ブロック１０には、図では見えていないコイルが収容されたコイル部１５が設けられ、また、可動接点部材１７と固定接点部材１８が取り付けられている。カバー２０は、保持ブロック１０とそれに取り付けられた種々の部品の周囲を覆うように、保持ブロック１０に取り付けられている。
【００１５】
可動接点部材１７は、板状の部材からなり、保持ブロック１０の、図１（ｂ）での下部分に形成された溝内に嵌合させられて固定された嵌合部１７ａを有している。嵌合部１７ａからは、分岐部１７ｂが図１（ｂ）での上方に向かって延びており、分岐部１７ｃが下方に延びている。
【００１６】
図１（ｂ）での上方に延びる分岐部１７ｂは、コイルの発生する磁力による駆動力が伝達されて、厚み方向に弾性変位させられるように構成されている。分岐部１７ｂには、厚み方向に、固定接点部材１８側に向かって突出する接点部１７ｄが取り付けられている。なお、図１（ｂ）では、わかりやすくするために、コイルに磁力によって吸い付けられる部材や、その部材の変位を可動接点部材に伝動する部材などの図示は省略している。これらは、公知のどのような構成を有していてもよい。
【００１７】
図１（ｂ）での下方に延びる分岐部１７ｃは、保持ブロック１０の、図１（ｂ）での下方の面Ａ（第１の面）から突出し、突出した部分が、外部接続用の端子７となっている。嵌合部１７ａ、分岐部１７ｂ，１７ｃ、および端子７は、それぞれ板状の構造を有し、板厚方向が、図１（ｂ）での紙面に平行な方向を向いており、したがって、一枚の板状部材を、図１（ｂ）の紙面に垂直な軸線周りに折り曲げて形成することができる。
【００１８】
固定接点部材１８も、同様に、保持ブロック１０に嵌合させられて固定された嵌合部１８ａと、嵌合部１８ａから、図１（ｂ）での上方と下方にそれぞれ延びる分岐部１８ｂ，１８ｃを有している。図１（ｂ）での上方に延びる分岐部１８ｂには、可動接点部材１７の接点部１７ｄに対応する位置に、可動接点部材１７に向かって突出する接点部１８ｄが取り付けられている。図１（ｂ）での下方に延びる分岐部１８ｃは、保持ブロック１０の、図１（ｂ）での下方の面Ａから突出し、突出した部分が、外部接続用の端子８となっている。嵌合部１８ａ、分岐部１８ｂ，１８ｃ、および端子８は、それぞれ板状の構造を有し、厚み方向が、図１（ｂ）での紙面に平行な方向を向いており、したがって、一枚の板状部材を図１（ｂ）の紙面に垂直な軸線周りに折り曲げて形成することができる。
【００１９】
電磁継電器１では、可動接点部材１７の、変位部となる分岐部１７ｂの変位量を、コイルによる変位を生じさせるための力を過大にしなくても十分に確保するために、分岐部１７ｂの長さをある程度長くするのが好ましい。また、可動接点部材１７と固定接点部材１８の間に、両者を電気的に切断した時に、ある程度の距離を確保するのが好ましい。これらのことから、電磁継電器１は、可動接点部材１７の、変位部となる分岐部１７ｂの長手方向、および分岐部１７ｂの板厚方向に、比較的大きくなりやすく、これらに垂直な方向には、比較的小さな構成としやすい。
【００２０】
その結果、電磁継電器１は、全体として、図１（ｂ）での上下方向および左右方向に比較的大きく、図１（ｂ）の紙面に垂直な方向には、薄い構成を有している。端子７，８の板厚方向は、それらが突出している保持ブロック１０の面Ａの長手方向に平行な方向となっている。
【００２１】
端子７，８は、保持ブロック１０の、端子７，８が突出している面Ａに垂直な方向に延びた後、板厚方向に垂直な面内で直角に曲がって、保持ブロック１０の、この面Ａに平行に延びている。その結果、端子７，８は、Ｌ字状の平面形状を有する板状の構成を有している。端子７，８の先端は、保持ブロック１０の、端子７，８が突出している面Ａに隣接する、カバー２０の、図１（ａ），（ｃ）での下方の面Ｂ（第２の面）を越えて延びている。
【００２２】
コイル用の端子５，６も、端子７，８と同様に、保持ブロック１０の、端子７，８が突出している面Ａから突出しており、この面Ａの長手方向が板厚方向となった、平面形状がＬ字状の板状の構造を有している。すなわち、端子５，６は、保持ブロック１０の、端子７，８が突出している面Ａに垂直な方向に延びた後、カバー２０の、図１（ａ），（ｃ）での下方の面Ｂ側に直角に曲がり、この下方の面Ｂを越えて延びている。端子５，６の、保持ブロック１０内での構成については、詳細には示さないが、端子７，８と同様に、保持ブロック１０に形成された溝に嵌合して固定された構成とすることができる。
【００２３】
本実施形態の電磁継電器１は、全体として、カバー２０と保持ブロック１０によって、ほぼ直方体形状の外形が形成された本体部を有し、この本体部から、外部接続用の各端子５，６，７，８が突出した構造となっている。本体部は、その直方体形状の外形を構成する互いに直交する３辺のうちの１辺が短く、すなわち、この辺の方向に薄い構造となっている。そして、各端子５，６，７，８は、本体部の面Ａから該面Ａに垂直に突出した後、直角に折れ曲がって、本体部の、薄い方向に延び、この方向に直交する面Ｂを越えて延びている。
【００２４】
電磁継電器１は、図１（ｃ）に示すように、各端子５，６，７，８（図１（ｃ）では端子８のみが見えている）の先端が基板３０の表面に対して垂直に延びるように基板３０に実装されている。その結果、電磁継電器１は、その本体部の薄い方向が、基板３０対して垂直な方向となるように実装され、したがって、基板３０に垂直な方向の寸法が抑えられ、低背形の構成となっている。
【００２５】
以上のように、本実施形態によれば、電磁継電器１を低背形に構成することができる。この際、外部接続用の端子５，６，７，８は、Ｌ字状に折れ曲がった平面形状を有する板状の構造となっている。このような構造の端子５，６，７，８は、好適にプレス加工によって形成することができる。したがって、図３を参照して説明した従来例のように、後から端子の曲げ工程を付加的に実行し、付加的なコストが発生することがない。また、端子５，６，７，８の折れ曲がり部の強度も高くなり、取り付けた時の安定性を向上させることができる。
【００２６】
また、本実施形態の電磁継電器１は、端子５，６，７，８を真っ直ぐに延びた構成とすれば、実装面積が比較的小さくて済む通常の構成の電磁継電器として利用することができる。したがって、端子５，６，７，８部分の構成のみを変更することで、他は共通の構成として、低背形と通常形の電磁継電器を製造することができ、効率的な製造が可能であるという利点が得られる。
【００２７】
また、本実施形態の構成では、電磁継電器１の本体部が、一方向に薄い構造を有することに着目し、この薄い方向が、基板３０に対して垂直に向くように構成することによって、低背形の電磁継電器１を実現している。これによれば、特許文献１に開示されるように、電磁継電器の姿勢は変えずに、端子の延び方を変えることによって、低背形の構成を実現するのに比べて、より大きく背を低減する作用が得られる。
【００２８】
なお、上記の実施形態は、本発明を例示するものであり、特許請求の範囲に規定する本発明の範囲内で種々の変更が可能である。
【００２９】
例えば、上記の実施形態では、外部接続用に４つの端子が設けられた構成を示したが、端子の数は４つに限られることはない。例えば、固定接点として、コイルの非動作時に可動接点から切断されており、コイルの動作時に可動接点に接続されるもの（メーク接点）と、コイルの非動作時に接続状態でコイルの作動時に切断状態となるもの（ブレーク接点）との２つを設けてもよい。また、メーク接点および/またはブレーク接点を複数個ずつ設けてもよい。また、電磁継電器に２つのコイルを設けて、それぞれのコイル用に、２つずつのコイル端子を設けてもよい。
【００３０】
また、本体部は、図１に示例では、実質的に直方体形状を有しているが、理解されるように、通常、厳密には直方体形状ではない。本発明は、本体部が概ね直方体形状の電磁継電器に適用可能である。端子５，６，７，８も、上記の説明では、分かりやすくするために、保持ブロック１０の側面に垂直に延び、直角に折れ曲がっているとしたが、これらは、厳密に「垂直」や「直角」でなくてもよい。
【図面の簡単な説明】
【００３１】
【図１】本発明の一実施形態による電磁継電器を示す模式図であり、（ａ）は斜視図、（ｂ）は、カバー２０を外した状態の、一部を省略して示す平面図、（ｃ）は（ｂ）の右側から見た、電磁継電器を基板上に実装した状態を示す側面図である。
【図２】従来例の電磁継電器を模式的に示す図であり、（ａ）はカバーを外した状態の正面図、（ｂ）は（ａ）の右側から見た側面図である。
【図３】図２の電磁継電器を利用した低背形の電磁継電器を模式的に示す斜視図である。
【符号の説明】
【００３２】
１    電磁継電器
５，６，７，８    端子
１０    （本体部の外形を形成する）保持ブロック
２０    （本体部の外形を形成する）カバー
Ａ    第１の面
Ｂ    第２の面
【図１】
2010113842.tif 000003
【図２】
2010113842.tif 000004
【図３】
2010113842.tif 000005